(57)【要約】【課題】きわめて簡単に短期間に施工することができるコストの安い天井構造を提供することである。【解決手段】スラブ１から垂れ下がる吊りボルト３により支持バー２を支持して複数の支持バー２を平行に配置し、各支持バー２の両側にフック部８を設ける。隣接する支持バー２間に張設される透光性を有する柔軟な帯状シート１４の両側縁にフック１５を設け、そのフック１５を支持バー２のフック部８に係合し、隣接する支持バー２間に帯状シート１４をかけ渡して天井を形成する。【選択図】図２
2005076407.tif 000002
【特許請求の範囲】
【請求項１】
スラブから垂れ下がる吊りボルトにより支持バーを支持して複数の支持バーをほぼ平行に配置し、各支持バーはその両端に至るフック部を両側に有し、そのフック部に対して係合可能なフックを両側縁部に取付けた透光性を有する柔軟な帯状シートを、前記フック部に対するフックの係合によって隣接する支持バー間にかけ渡した天井構造。
【請求項２】
前記支持バーの両側に、支持バーの両端に至る一対のフック部を上下に間隔をおいて設けた請求項１に記載の天井構造。
【請求項３】
前記複数の支持バーの隣接する支持バーの上側フック部間と下側フック部間の少なくとも一方に帯状シートをかけ渡した請求項２に記載の天井構造。
【請求項４】
前記支持バーとその一側に設けられた支持バーの上側フック部間および前記支持バーとその他側に設けられた支持バーの下側フック部間にそれぞれ帯状シートをかけ渡して隣接する帯状シートの相互間に段差を設けた請求項２に記載の天井構造。
【請求項５】
前記隣接する支持バー間に、その支持バーに対して交差方向に延びる複数の平行に配置されたレール部材を設け、各レール部材の下部にその両端に至るガイド溝を設け、各ガイド溝に沿ってスライド可能な複数のランナーによって支持バー間にかけ渡された帯状シートの両端縁を間隔をおいて支持して帯状シートを長さ方向に波がうつ波状の張設状態とした請求項１に記載の天井構造。
【発明の詳細な説明】
【技術分野】
【０００１】
この発明は、建物における部屋の天井構造に関するものである。
【背景技術】
【０００２】
一般に、部屋の天井構造においては、スラブから垂れ下がる吊りボルトの下端部にハンガーを取付け、そのハンガーにより野縁受けを支持して複数の野縁受けを平行に配置し、その野縁受けと、これに交差させた複数の平行に配置された野縁の各交差部を連結具で連結し、前記野縁にねじ込むタッピングスクリュにより野縁の下面に天井パネルを取付けて多数の天井パネルで天井を形成するようにしている。
【発明の開示】
【発明が解決しようとする課題】
【０００３】
ところで、上記のような天井構造においては、吊りボルトに支持される複数の野縁受けとこれに交差状に配置された複数の野縁の交差部を互に連結して格子状の天井下地を形成する工程、その天井下地に多数の天井パネルをタッピングスクリュでねじ止めする工程を必要とし、しかも、多数の天井パネルから成る天井に天井点検口を設けたり、照明器具を取付けるための開口部を設ける必要があるため、天井の形成に非常に手間がかかり、施工期間も長く、コストも高いという不都合がある。
【０００４】
また、重量も重く、耐震性に問題があり、しかも平面的な一定の形態の天井しか形成することができないという不都合もある。
【０００５】
この発明の課題は、きわめて短期間に施工することができる軽量で耐震性に優れたコストの安い、しかも形態の異なる天井を形成することができるようにした天井構造を提供することである。
【課題を解決するための手段】
【０００６】
上記の課題を解決するために、この発明においては、スラブから垂れ下がる吊りボルトにより支持バーを支持して複数の支持バーをほぼ平行に配置し、各支持バーはその両端に至るフック部を両側に有し、そのフック部に対して係合可能なフックを両側縁部に取付けた透光性を有する柔軟な帯状シートを、前記フック部に対するフックの係合によって隣接する支持バー間にかけ渡した構成を採用したのである。
【０００７】
ここで、支持バーは、その両側に一対のフック部を上下に設けたものであってもよい。このような支持バーの採用においては、隣接する支持バー間に２枚の帯状シートを上下に間隔をおいて張設し、あるいは、隣接する帯状シートに段差をもって配置する張設パターンを得ることができる。
【０００８】
また、隣接する支持バー間に、その支持バーに対して交差方向に延びる複数の平行に配置されたレール部材を設け、各レール部材の下部にガイド溝を設け、各ガイド溝に沿ってスライド可能な複数のランナによって支持バー間に張設された帯状シートの両端部を間隔をおいて支持することにより、帯状シートが長さ方向に波がうつ波状の張設パターンを得ることができる。
【発明の効果】
【０００９】
この発明に係る天井構造によれば、吊りボルトで支持バーを支持して複数の支持バーをほぼ平行に配置する工程と、隣接する支持バーのフック部に帯状シートの両端部に設けられたフックを係合して支持バー間に帯状シートをかけ渡す工程とによって天井を形成することができ、しかも帯状シートは透光性を有するため、その帯状シートによって形成される天井とスラブ間に照明器具を設けることによってその照明器具により室内を照明することができるので、照明器具を取付けるための開口部の形成を不要とすることができる。また、帯状シートを取外すことによって天井点検口を形成することができるので、天井点検口の形成も不要とすることができる。
【００１０】
したがって、きわめて簡単に短期間に天井を形成することができると共に、コストの安い天井構造を得ることができる。また、帯状シートを採用したことによって軽量で耐震性に優れた天井構造を得ることができる。
【００１１】
さらに、帯状シートは、その幅寸法を規制することによって両側縁間の中央部が下方に垂れ下がるわん曲状の張設状態や幅方向にテンションが付与される緊張状の張設状態を得ることができるため、その張設パターンを適宜に組合わせることによって形態の異なるデザイン的に優れた天井を形成することができる。
【００１２】
ここで、両側に一対のフック部を形成した支持バーを採用することによって、隣接する支持バー間に２枚の帯状シートを上下に設けることができる。この場合、照明装置からの光は２枚の帯状シートによって柔らげられるため、落ちつきのある部屋を形成することができる。
【００１３】
また、両側に一対のフック部を形成した支持バーを採用することによって隣接する帯状シートの相互間に段差をつけることができ、立体的な天井を形成することができる。
【発明を実施するための最良の形態】
【００１４】
以下、この発明の実施の形態を図面に基づいて説明する。図１乃至図４は、この発明に係る天井構造の実施形態を示す。図示のように、スラブ１の下方には複数の支持バー２が設けられ、各支持バー２はスラブ１から垂れ下がる複数の吊りボルト３に支持されてほぼ平行の配置とされている。
【００１５】
支持バー２はアルミニウムの押出し成形品から成る。この支持バー２はウェブ４の下端に二股片部５を設けた断面Ｙ字形をなし、上記ウェブ４の上端には上面で開口し、その開口部から内向きに一対のフランジ６が設けられたレール溝７が設けられている。また、二股片部５のそれぞれ下端には外側方に突出するフック部８が設けられている。このフック部８は図３に示すように、上向きのものであってもよく、あるいは、図５に示すように、横向きのものであってもよい。
【００１６】
上記の構成から成る支持バー２の支持に際し、ここでは、吊りボルト３の下部にねじ込まれる一対のナット９によって連結具１０の一端に設けられた折曲片１１ａを固定し、支持バー２のレール溝７に頭部がスライド自在に挿入されたボルト１２を上記連結具１０の他端に設けられた折曲片１１ｂに貫通させ、その折曲片１１ｂ上に突出するボルト１２の端部にナット１３をねじ係合して締付けるようにしている。
【００１７】
吊りボルト３によって支持された支持バー２の隣接する支持バー２のフック部８間には帯状シート１４がかけ渡されている。
【００１８】
帯状シート１４は透光性、難燃性および柔軟性を有している。そのような帯状シートとして、東洋紡績株式会社製のハイム（商品名）と称されるものを採用することができる。この帯状シート１４の両側縁にはフック１５が取付けられている。ここで、フック１５は帯状シート１４の側縁全長にわたる長さのものであってもよく、あるいは、所定幅寸法のフックであってもよい。所定幅寸法のフックの場合は、帯状シート１４の側縁に間隔をおいて複数取付けるようにする。
【００１９】
帯状シート１４は色や厚みが異なる数種のものが用意され、部屋の使用目的に応じて適切な帯状シート１４が選択して使用される。これらの帯状シート１４は支持バー２のフック部８に対するフック１５の係合によって隣接する支持バー２間に張設され、その帯状シート１４の張設によって天井が形成される。
【００２０】
帯状シート１４は、図１に示すように、支持バー２を長さ方向に複数に分割した長さのものであってもよく、あるいは、支持バー２の全長にわたる長さのものであってもよい。
【００２１】
帯状シート１４の幅寸法は、図２に示すように、隣接する支持バー２の対向するフック部８間の寸法より長く、その張設状態で幅方向中央部が下方に垂れ下がるわん曲状の張設状態とされる長さのものであってもよく、あるいは、図５に示すように、隣接する支持バー２の対向するフック部８間の寸法にほぼ等しく、その張設状態で幅方向にテンションが付与される緊張状の張設状態とされるものであってもよい。
【００２２】
実施形態で示す天井構造においては、吊りボルト３により支持バー２を支持して複数の支持バー２をほぼ平行に配置する工程と、隣接する支持バー２の対向するフック部８に帯状シート１４の両側縁に設けたフック１５を係合させて帯状シート１４を隣接する支持バー２間にかけ渡す工程とによって天井を形成することができる。
【００２３】
そして、帯状シート１４を取外すことによて天井点検口を形成することができるため、天井点検口の形成を不要とすることができる。また、図２に示すように、スラブ１に吊り下げ支持される照明器具Ａからの光を帯状シート１４を通して室内に投光することができるので、照明器具Ａの取付け用の開口部の形成を不要とすることができる。
【００２４】
したがって、きわめて簡単に短期間に天井を形成することができると共に、コストも安く、しかも帯状シート１４を採用したことによって軽量で耐震性に優れた天井構造を得ることができる。
【００２５】
また、帯状シート１４はその幅寸法を規制することによって、図２に示すように、幅方向の中央部が垂れ下がるわん曲状の張設状態や、図５に示すように、幅方向にテンションが付与された緊張状の張設状態を得ることができると共に、これらの張設パターンは図６に示すように組合せることができるため、形態の異なるデザイン的に優れた数種の天井を形成することができる。
【００２６】
図７は支持バー２の他の例を示す。この支持バー２は二股片部５のそれぞれ外側面に一対のフック部８ａ、８ｂを上下に設けている点で図３に示す支持バー２と相違している。
【００２７】
上記のような支持バー２を採用することにより、隣接する支持バー２の対向する上側フック部８ａ間および下側フック部８ｂ間のそれぞれに帯状シート１４をかけ渡すことができ、その帯状シート１４のかけ渡し方によって部屋の雰囲気を大幅に変化させることができる。
【００２８】
例えば、図７に示すように、隣接する支持バー２の対向する上側フック部８ａ間および下側フック部８ｂ間に帯状シート１４をかけ渡して２枚の帯状シート１４を上下に配置することにより、図２に示す照明装置Ａからの光は２枚の帯状シート１４によって柔げられるため、落ちつきのある部屋を形成することができる。
【００２９】
また、図８に示すように、支持バー２とその一側方に設けられた支持バー２の上側フック部８ａ間に帯状シート１４をかけ渡すと共に、支持バー２とその他側方に設けられた支持バー２の下側フック部８ｂ間に帯状シート１４をかけ渡すことによって隣接する帯状シート１４に段差を設けることができるため、立体的な天井を得ることができる。
【００３０】
なお、図では省略したが、隣接する２つの支持バー２間において、一方の支持バー２間に２枚の帯状シート１４をかけ渡し、他方の支持バー２間に１枚の帯状シート１４をかけ渡すことによって、２枚の帯状シート１４がかけ渡された部分での光の透過量は、１枚の帯状シート１４がかけ渡された部分での光の透過量より少ないため、明暗のある天井を形成することができる。
【００３１】
図９および図１０はこの発明に係る天井構造の他の例を示す。この例では、図１に示す場合と同様に、複数の支持バー２をほぼ平行に配置し、隣接する支持バー２間に、その支持バー２に対して交差方向に延びる複数のレール部材２０を平行に設け、各レール部材２０の両側下部にレール部材２０の両端に至るガイド溝２１を形成し、そのガイド溝２１に沿ってスライド可能な複数のランナー２２により隣接する支持バー２のフック部８間に張設された帯状シート１４の長さ方向の両側縁部を等間隔に支持して帯状シート１４を長さ方向に波がうつ波状に張設している。
【００３２】
ここで、レール部材２０はスラブ１から垂れ下がる吊りボルトで支持するようにする。
【００３３】
上記のように、ガイド溝２１を有するレール部材２０を複数のほぼ平行に配置された支持バー２間に設けることによって、隣接する支持バー２間にかけ渡される帯状シート１４には、幅方向の中央部が下方に垂れ下がるわん曲状の張設状態と、幅方向にテンションが付与される緊張状の張設状態と、長さ方向に波が打つ波状の張設状態の３つの張設パターンを得ることができ、これらの張設パターンを適宜に組合わせることによって変化に富んだ天井を得ることができる。
【００３４】
また、帯状シート１４の一端のフック１５を係合解除させることによって帯状シート１４を蛇腹状に折畳むことができ、その折畳みによって開口部を形成することができる。
【００３５】
図１０に示す例ではレール部材２０の両側面に側面開放状のガイド溝２１を形成したが、図１１に示すようにレール部材２０の下部両側に下面開放状のガイド溝２１を設けるようにしてもよい。
【図面の簡単な説明】
【００３６】
【図１】この発明に係る天井構造の実施の形態を示す斜視図
【図２】図１の縦断正面図
【図３】図２の一部分を拡大して示す断面図
【図４】支持バーと帯状シートの一部分を示す分解斜視図
【図５】支持バーの他の例を示す縦断正面図
【図６】帯状シートの張設パターンの他の例を示す縦断正面図
【図７】支持バーのさらに他の例を示す縦断正面図
【図８】帯状シートの張設パターンの他の例を示す縦断正面図
【図９】この発明に係る天井構造の他の実施形態を示す縦断正面図
【図１０】図９の縦断側面図
【図１１】支持バーの他の例を示す断面図
【符号の説明】
【００３７】
１  スラブ
２  支持バー
３  吊りボルト
８、８ａ、８ｂ  フック部
１４  帯状シート
１５  フック
２０  レール部材
２１  ガイド溝
２２  ランナー
【図１】
2005076407.tif 000003
【図２】
2005076407.tif 000004
【図３】
2005076407.tif 000005
【図４】
2005076407.tif 000006
【図５】
2005076407.tif 000007
【図６】
2005076407.tif 000008
【図７】
2005076407.tif 000009
【図８】
2005076407.tif 000010
【図９】
2005076407.tif 000011
【図１０】
2005076407.tif 000012
【図１１】
2005076407.tif 000013